(57)【特許請求の範囲】
【請求項１】
基板と、
前記基板の主面上に形成された有機発光層と、
前記主面の外周部で前記基板と接合して前記有機発光層を封止する封止板と、
前記基板と前記封止板の間に配置された伝熱性部材とを備え、
前記伝熱性部材はＵＶ硬化樹脂又はエポキシ系接着樹脂からなり、
前記伝熱性部材の塗布時の粘度は、２５℃において１０Ｐａ・ｓ〜１００Ｐａ・ｓであり、
前記伝熱性部材の塗布時には、０．１ＭＰa〜０．５ＭＰaの塗布圧力を加えることを特徴とする有機発光素子。
【請求項２】
前記伝熱性部材は、少なくとも前記有機発光層の上方に配置されたことを特徴とする請求項１に記載の有機発光素子。
【請求項３】
前記封止板の前記伝熱性部材と接する領域の残余の領域に溝が形成され、該溝の底部に乾燥材が配置されたことを特徴とする請求項１又は２に記載の有機発光素子。
【請求項４】
前記基板は、光を透過可能な基板であることを特徴とする請求項１〜３のいずれか１項に記載の有機発光素子。
【請求項５】
前記伝熱性部材と前記封止板間に配置された金属層を更に備えることを特徴とする請求項１〜４のいずれか１項に記載の有機発光素子。
【請求項６】
前記封止板は、光を透過可能な部材からなることを特徴とする請求項１〜３のいずれか１項に記載の有機発光素子。
【請求項７】
基板上に有機発光層を形成する工程と、
封止板上に、２５℃において１０Ｐａ・ｓ〜１００Ｐａ・ｓの粘度を有する伝熱性部材を、ストライプ状に複数列を等間隔に又はドット状に複数個を等間隔に、０．１ＭＰa〜０．５ＭＰaの塗布圧力を加えて塗布し、かつシール材を塗布する工程と、
前記封止板を前記基板に前記伝熱性部材及び前記シール材を介して圧着し、前記伝熱性部材同士を接着するように貼り合わせる封止工程と
を有することを特徴とする有機発光素子の製造方法。
【請求項８】
前記封止工程における前記シール材の圧着は、１ｋＰa〜２０ｋＰaの圧力下で行われることを特徴とする請求項７に記載の有機発光素子の製造方法。
【発明の詳細な説明】
【技術分野】
【０００１】
本発明は、有機発光素子及びその製造方法に関し、特に放熱性を改善した有機発光素子及びその製造方法に関する。
【背景技術】
【０００２】
有機発光素子として知られる有機ＥＬ（ＥＬ：Electroluminescence）素子は、一般に電流駆動型の発光素子であるため、発光時に発光素子内部の電気抵抗による発熱、いわゆるジュール熱が発光素子の温度を上昇させる。この温度上昇は有機薄膜の劣化や電極膜の剥離等の進行を加速させ、発光素子寿命や性能の低下を招く原因となっていることが知られている。
【０００３】
図１２に、従来の有機ＥＬ素子構造の一例を示す。従来の有機ＥＬ素子では、ガラス基板２０１上に積層形成された陽極層２０２、有機発光層２０３、陰極層２０４を、ガラスからなる封止板２０６をシール材２０７によってガラス基板２０１上で接着封止し、かつ、封止された内部空間２０８に不活性ガスなどを充満させている。これにより、有機発光層２０３が外部からの湿気や水分に触れるのを防ぐ。そして、素子で発生した熱は主としてガラス基板２０１に熱伝導して放熱される。しかしながら、不活性ガスの対流による封止板２０６への熱伝導は非常に小さく、さらに有機発光層２０３やガラス基板２０１の熱伝導率も小さいため、素子温度の著しい上昇を招いていた。
【０００４】
上記と同様の構成を有する有機ＥＬ素子において、封止板内面に乾燥剤層を設けて、陰極層と乾燥剤層との間に熱伝導性スペーサを設けることが開示されている（例えば、特許文献１参照。）。これにより、乾燥剤層との接触等による素子の損傷を防止すると共に、封止板側からの放熱性を向上させることができる。しかしながら、上記熱伝導性スペーサは複数の球状の金属からなり素子及び乾燥剤層との接触面積は小さいため、素子からの発熱を効率よく放熱することは困難である。
【特許文献１】特開２００４−０４７４５８号公報
【発明の開示】
【発明が解決しようとする課題】
【０００５】
本発明の目的は、有機発光素子で発生したジュール熱を良好に放熱する有機発光素子及びその製造方法を提供することにある。
【課題を解決するための手段】
【０００６】
上記目的を達成するための本発明の他の態様によれば、基板と、前記基板の主面上に形成された有機発光層と、前記主面の外周部で前記基板と接合して前記有機発光層を封止する封止板と、前記基板と前記封止板の間に配置された伝熱性部材とを備え、前記伝熱性部材はＵＶ硬化樹脂又はエポキシ系接着樹脂からなり、前記伝熱性部材の塗布時の粘度は、２５℃において１０Ｐａ・ｓ〜１００Ｐａ・ｓであり、前記伝熱性部材の塗布時には、０．１ＭＰa〜０．５ＭＰaの塗布圧力を加えることを特徴とする有機発光素子が提供される。
【０００７】
本発明の一態様によれば、基板上に有機発光層を形成する工程と、封止板上に、２５℃において１０Ｐａ・ｓ〜１００Ｐａ・ｓの粘度を有する伝熱性部材を、ストライプ状に複数列を等間隔に又はドット状に複数個を等間隔に、０．１ＭＰa〜０．５ＭＰaの塗布圧力を加えて塗布し、かつシール材を塗布する工程と、前記封止板を前記基板に前記伝熱性部材及び前記シール材を介して圧着し、前記伝熱性部材同士を接着するように貼り合わせる封止工程とを有することを特徴とする有機発光素子の製造方法が提供される。
【発明の効果】
【０００８】
本発明の有機発光素子及びその製造方法によれば、有機発光素子で発生した熱を封止板に効率よく伝導させて良好に放熱することができる。
【発明を実施するための最良の形態】
【０００９】
以下、図面を参照して本発明の実施の形態による有機発光素子を説明する。以下の図面の記載において、同一又は類似の部分には同一又は類似の符号を付している。ただし、図面は模式的なものであり、現実のものとは異なり、また、図面相互間においても互いの寸法の関係や比率が異なる部分が含まれていることに留意すべきである。
【００１０】
[第１の実施の形態]
（素子構造）
本発明の第１の実施の形態に係る有機発光素子は、図１に示すように、基板１と、基板１の主面上に形成された有機発光層３と、基板１の主面の外周部で基板１と接合して有機発光層３を封止する封止板８と、基板１と封止板８の間に配置された伝熱性部材９とを備える。
【００１１】
第１の実施の形態によれば、有機発光素子２０は有機発光層３で発光した光を基板１側から取り出す、いわゆるボトム・エミッション構造を有する。
【００１２】
有機発光素子２０は、基板１上に、陽極層２、有機発光層３、陰極層４が順次積層されている。陽極層２と陰極層４は絶縁層５を介して絶縁されており、陽極層２には陽極層２が延伸して配置された陽極端子６が、陰極層４には陰極層４が延伸して配置された陰極端子７がそれぞれ形成されている。
【００１３】
封止板８は、表面に伝熱性部材９が形成されており、伝熱性部材９を介して陰極層４表面と密着して配置される共に、シール材１１を介して基板１の外周部で接合して有機発光層３を封止している。
【００１４】
伝熱性部材９は、少なくとも有機発光層３の上方に配置されている。
【００１５】
封止板８の伝熱性部材９と接する領域の残余の領域に溝１２が形成されており、溝１２の底部には封止された内部空間の水分や湿気を吸収するための乾燥材１０が配置されている。
【００１６】
この有機発光素子２０では、基板１側から光が発光するように構成されているので、基板１は、ガラス基板等の光を透過する透明基板が用いられる。
【００１７】
同様に、陽極層２も、光を透過可能な厚さ約１５０〜約１６０ｎｍのＩＴＯ（インジウム−スズ酸化物）の透明電極からなる。
【００１８】
有機発光層３は、基板１側から、正孔輸送層、発光部及び電子輸送層が順次積層されている。
【００１９】
正孔輸送層は、陽極層２から注入された正孔を円滑に発光部に輸送するためのものであり、例えば厚さ約６０ｎｍのＮＰＢ（Ｎ，Ｎ−ジ（ナフタリル）−Ｎ，Ｎ−ジフェニル−ベンジデン）からなる。
【００２０】
電子輸送層は、陰極層４から注入された電子を円滑に発光部に輸送するためのものであり、例えば厚み約３５ｎｍのＡｌｑ３（アルミニウムキノリノール錯体）からなる。
【００２１】
発光部は、注入された正孔及び電子が再結合して発光するためのものであり、例えば発光種であるクマリン化合物（Ｃ５４５Ｔ）が約１％ドーピングされた厚さ約３０ｎｍのＡｌｑ３からなる。
【００２２】
なお、有機発光層３は、上記、正孔輸送層、電子輸送層以外の層、例えば、正孔注入層、電子注入層等を用いて構成しても良い。
【００２３】
陰極層４は、例えば厚さ約１５０ｎｍのアルミニウムからなる。
【００２４】
封止板８は、陽極層２、陰極層４、および有機発光層３を保護し、これらを封止するものである。封止板８の材質としては、ガラス、ステンレススチール（ＳＵＳ）や銅等の金属、或いはセラミック等を用いる。
【００２５】
後述するように、製造時に伝熱性部材９を充填後硬化させる方法では、基板１に用いるガラスとの熱膨張係数の差により、有機発光素子２０に反りが生じたり、さらには電極を損傷するおそれがあるので、封止板８は線膨張率がガラス（８．５×１０−６／Ｋ）に近いものが望ましい。
【００２６】
また、封止板８は、伝熱性部材９から伝わる熱を外部に放熱する機能を担っているので、熱伝導率の高いものが望ましい。
【００２７】
伝熱性部材９は、有機発光層３で発生したジュール熱を封止板８側に伝え、放熱させるためのものである。伝熱性部材９としては、ＵＶ硬化樹脂やエポキシ系接着樹脂等の樹脂を用いることが好ましい。
【００２８】
ＵＶ硬化樹脂やエポキシ系接着樹脂を用いる場合、硬化させて固体として用いるが、硬化時に体積収縮があるので、上記と同様の不具合が生じるおそれがある。したがって、チクソ性の高い（粘性の高い）材質のものを適宜選択すべきである。また、硬化時にシール材１１と同時に硬化するものがよい。
【００２９】
また、封止板８にガラスを用いる場合は、上記いずれの材質のものでもよいが、封止板８に不透明な材質なものを用いる場合は、熱硬化型或いは２液混合型のエポキシ系接着樹脂を用いる。
【００３０】
乾燥材１０は、例えば、酸化カルシウムや酸化バリウム等をテープ状にして、或いはコーティングして用いることができる。
【００３１】
シール材１１は、ＵＶ硬化樹脂、エポキシ樹脂等を用いる。
【００３２】
(動作原理)
本発明の第１の実施の形態に係る有機発光素子の動作原理は以下の通りである。
【００３３】
まず、陽極端子６及び陰極端子７を介して、有機発光素子２０の陽極層２及び陰極層４の間に一定の電圧が印加される。これにより、陽極層２から正孔輸送層を介して発光部に正孔が注入されるとともに、陰極層４から電子輸送層を介して発光部に電子が注入される。そして、発光部に注入された正孔と電子とが再結合することによって、光を発光する。発光された光は、基板１を介して外部に出射される。
【００３４】
（製造方法）
図２乃至図５は、本発明の第１の実施の形態による有機発光素子の製造方法を説明する図である。
【００３５】
本発明の第１の実施の形態に係る有機発光素子の製造方法は、基板１上に有機発光層３を形成する工程と、封止板８上に伝熱性部材９を、ストライプ状に複数列を等間隔に又はドット状に複数個を等間隔に塗布する工程と、封止板８を基板１に伝熱性部材９を介して圧着し、伝熱性部材９同士を接着するように貼り合わせる工程とを有する。伝熱性部材９は、ＵＶ硬化樹脂、熱硬化樹脂、或いは常温硬化樹脂のいずれかであることが好ましい。
【００３６】
以下に、製造工程を詳述する。
【００３７】
（ａ）まず、図２（ａ）に示すように、基板１上の陽極層２及び陰極端子７をパターニング、エッチングした後、陽極層２と陰極端子７の間に絶縁層５を形成する。
【００３８】
（ｂ）次に、図２（ｂ）に示すように、真空蒸着装置で、正孔輸送層、発光部、及び電子輸送層を順に成膜して有機発光層３を形成する。
【００３９】
（ｃ）次に、図２（ｃ）に示すように、陰極層４を成膜する。
【００４０】
（ｄ）次に、図３（ａ）に示すように、封止板８の外周に溝１２をエッチングにより形成する。
【００４１】
（ｅ）次に、図３（ｂ）に示すように、乾燥材１０を、酸化カルシウム等の粉末状のものを接着剤としての樹脂と共に溶剤に溶かした状態にして、溝１２の底部に塗布し、更にＵＶ照射を行うことで硬化させて形成する。
【００４２】
（ｆ）次に、図３（ｃ）に示すように、伝熱性部材９及びシール材１１を塗布する。
【００４３】
（ｇ）最後に、図４に示すように、封止板８を基板１に圧着して貼り合わせて封止し、図１に示す有機発光素子２０が完成する。
【００４４】
（伝熱性部材の塗布方法）
伝熱性部材９は、図５（ａ）、（ｂ）に示すように、棒状又は半円柱状の伝熱性部材９を伝熱領域１８の各辺に平行に等間隔で塗布する。
【００４５】
例えば、有機発光層３の平面視形状が正方形でその長さが６ｍｍ×６ｍｍの場合、棒状ではその幅は、０．２〜０．４ｍｍ程度であり、高さは、０．０３〜０．４ｍｍ程度である。半円柱状ではその直径は、０．２〜０．４ｍｍ程度である。
【００４６】
塗布する際の粘度は、２５℃において１０〜１００Ｐａ・ｓである。また、塗布圧力は０．１〜０．５ＭＰａ、塗布時間は１〜３秒である。貼り合わせ時の封止板８の押さえ圧力は１０〜３０ｋＰａ、貼り合わせ時間は６００〜８００秒である。貼り合わせ時の減圧圧力は大気圧に対して−５０〜−３０ｋＰａである。
【００４７】
これにより、図５（ｃ）に示すように、封止板８の伝熱領域１８に対向する基板１上の有機発光層３表面に陰極層４を介して圧着して貼り合わせたとき、各伝熱性部材９が圧着により伸びて広がり、各伝熱性部材９同士を接着することができる。
【００４８】
伝熱性部材９の塗布において、伝熱性部材９を塗布面全体にわたって一塊りを塗布したり、或いは不規則に塗布すると、基板１と封止板８を貼り合わせたとき、伝熱性部材９内に気体が閉じこめられてエア溜りが残ってしまい、伝熱性の低下をもたらす。
【００４９】
したがって、上述した塗布方法で塗布することにより、伝熱性部材９間に存在する気体を閉じ込めることなく良好に排出しながら基板１と封止板８を貼り合わせることができるので、エア溜りの発生を防ぐことができる。
【００５０】
（シール材の塗布方法）
シール材１１は、溝１２の外側周辺部に棒状又は半円柱状の形状で塗布する。例えば、棒状ではその幅は、０．２〜１．０ｍｍ程度であり、高さは、０．０３〜０．８ｍｍ程度である。半円柱状ではその直径は、０．２〜０．４ｍｍ程度である。
【００５１】
シール材１１の塗布において、エア溜りは伝熱性部材９内に気体が閉じ込められて発生するのに対して、貼り合わせ時に、内部気体の圧縮による気体の圧力によりシール材１１が破れたり、変形したりするエアパスが発生する。
【００５２】
エアパスはシール不良をもたらすので、これを防止するために、１〜２０ｋＰａの低圧下において貼り合わせることが望ましい。
【００５３】
本発明の第１の実施の形態に係る有機発光素子及びその製造方法によれば、有機発光層３と封止板８の間に伝熱性部材９を配置するので、有機発光素子２０で発生した熱を良好に放熱することができる。
【００５４】
これにより、有機発光素子２０のジュール熱による温度上昇を防止でき、有機発光素子２０の性能及び寿命の劣化を抑制することができる。
【００５５】
また、封止板８の表面より直接冷却することが可能となるため、一層放熱効果を高めることができる。
【００５６】
本発明の第１の実施の形態に係る有機発光素子及びその製造方法によれば、封止板８上に伝熱性部材９をストライプ状に等間隔で塗布するので、伝熱性部材９にエア溜りが発生するのを低減できる。これにより、有機発光素子２０の良好な放熱性能を確保することができる。
【００５７】
また、伝熱性部材９を等間隔で塗布するので、貼り合わせた後、有機発光素子２０に加えられる衝撃の力を分散することができる。
【００５８】
[第２の実施の形態]
本発明の第２の実施の形態に係る有機発光素子は、図６に示すように、基板１と、基板１の主面上に形成された有機発光層３と、基板１の主面の外周部で基板１と接合して有機発光層３を封止する封止板８と、基板１と封止板８の間に配置された伝熱性部材９とを備え、伝熱性部材９と封止板８間に配置された金属層１３を更に備える。その他の構成は、第１の実施の形態と同様であるので説明は省略する。
【００５９】
金属層１３の材質としては、アルミニウム、クロム、ニッケル、或いはそれらの合金等が挙げられる。
【００６０】
第２の実施の形態に係る有機発光素子の製造方法は、金属層１３を形成する方法が第１の実施の形態における製造方法と異なる点であり、他は第１の実施の形態と同様であるので、重複した説明は省略する。
【００６１】
第２の実施の形態に係る有機発光素子の製造方法において、有機発光素子２０Ａは、金属層１３を伝熱性部材９の表面にスパッタリング等により形成することにより製造することができる。
【００６２】
本発明の第２の実施の形態に係る有機発光素子及びその製造方法によれば、金属層１３を封止板８と伝熱性部材９の間に配置することにより有機発光素子２０Ａで発生した熱を伝熱性部材９から封止板８に効率よく伝えることができ、良好に放熱することができる。
【００６３】
[第３の実施の形態]
本発明の第３の実施の形態に係る有機発光素子は、図１に示すように、基板１と、基板１の主面上に形成された有機発光層３と、基板１の主面の外周部で基板１と接合して有機発光層３を封止する封止板８と、基板１と封止板８の間に配置された伝熱性部材９とを備え、封止板８は光を透過可能な部材からなる。その他の構成は、第１の実施の形態と同様であるので説明は省略する。
【００６４】
第３の実施の形態によれば、有機発光素子２０は有機発光層３で発光した光を封止板８側から取り出す、いわゆるトップ・エミッション構造を有する。
【００６５】
第３の実施の形態に係る有機発光素子では、封止板８側から光が発光するように構成されているので、封止板８は、ガラス基板等の光を透過する透明基板が用いられる。
【００６６】
同様に、陰極層４も、光を透過可能な厚さ約１５０〜約１６０ｎｍのＩＴＯ（インジウム−スズ酸化物）の透明電極が用いられる。
【００６７】
陽極層２はアルミニウム等の金属膜が用いられる。
【００６８】
伝熱性部材９は、その材質として、光を透過可能な、熱硬化又は常温硬化のエポキシ系樹脂や注型用ウレタン樹脂等が挙げられる。
【００６９】
第３の実施の形態に係る有機発光素子の製造方法は、基板１等用いる材質が異なること以外は、第１の実施の形態による製造方法と同様であるので、説明は省略する。
【００７０】
本発明の第３の実施の形態に係る有機発光素子及びその製造方法によれば、有機発光素子２０で発生した熱を良好に放熱することができる。
【００７１】
[第４の実施の形態]
本発明の第４の実施の形態に係る有機発光素子は、図１に示すように、基板１と、基板１の主面上に形成された有機発光層３と、基板１の主面の外周部で基板１と接合して有機発光層３を封止する封止板８と、基板１と封止板８の間に配置された伝熱性部材９とを備えており、第１の実施の形態における有機発光素子の構成と同様の構成を有するので、その説明は省略する。
【００７２】
第４の実施の形態に係る有機発光素子の製造方法は、伝熱性部材９を塗布する方法が第１の実施の形態における製造方法と異なる点であり、他は第１の実施の形態と同様であるので、重複した説明は省略する。
【００７３】
第４の実施の形態に係る有機発光素子の製造方法において、図７は基板１と貼り合わせる前の状態の封止板８の平面図を示す。第４の実施の形態において、図７に示すように、伝熱性部材９はアレイ状配列の塗布パターンで塗布して形成する。
【００７４】
各伝熱性部材９の形状は、特に制限はなく、略半球状、略円柱状、略角柱状など、様々な形状をとることができるが、好ましく略半球状である。半球の直径は０.２〜０．４ｍｍ程度であり、隣接する半球と半球との間の最短距離は、０.２〜０．６ｍｍ程度ある。
【００７５】
これにより、基板１と封止板８とを貼り合わせた際、伝熱性部材９間に存在する気体を閉じ込めることなく良好に排出することができるので、エア溜りを生じることなく伝熱性部材９同士を接着することができる。
【００７６】
本発明の第４の実施の形態に係る有機発光素子及びその製造方法によれば、有機発光素子２０の良好な放熱性能を確保することができる。
【００７７】
[第５の実施の形態]
本発明の第５の実施の形態に係る有機発光素子は、図１に示すように、基板１と、基板１の主面上に形成された有機発光層３と、基板１の主面の外周部で基板１と接合して有機発光層３を封止する封止板８と、基板１と封止板８の間に配置された伝熱性部材９とを備えており、第１の実施の形態における有機発光素子の構成と同様の構成を有するので、その説明は省略する。
【００７８】
第５の実施の形態に係る有機発光素子の製造方法は、伝熱性部材９を塗布する方法が第１の実施の形態における製造方法と異なる点であり他は第1の実施の形態と同様であるので、重複した説明は省略する。
【００７９】
第５の実施の形態に係る有機発光素子の製造方法において、図８は基板１と貼り合わせる前の状態の封止板８の平面図を示す。第５の実施の形態において、図８に示すように、伝熱性部材９はチドリ状配列の塗布パターンで塗布して形成する。
【００８０】
各伝熱性部材９の形状は、特に制限はなく、略半球状、略円柱状、略角柱状など、様々な形状をとることができるが、好ましく略半球状である。半球の直径は、０.２〜０．４ｍｍ程度であり、半球間のピッチ（隣接する半球の中心点と中心点との距離）は、通常０.８〜１．２ｍｍである。
【００８１】
これにより、基板１と封止板８とを貼り合わせた際、伝熱性部材９間に存在する気体を閉じ込めることなく良好に排出することができるので、エア溜りを生じることなく伝熱性部材９同士を接着することができる。
【００８２】
本発明の第５の実施の形態に係る有機発光素子及びその製造方法によれば、有機発光素子２０の良好な放熱性能を確保することができる。
【００８３】
[第６の実施の形態]
本発明の第６の実施の形態に係る有機発光素子は、図９に示すように、基板１と、基板１の主面上に形成された有機発光層３と、基板１の主面の外周部で基板１と接合して有機発光層３を封止する封止板８と、基板１と封止板８の間に配置された伝熱性部材９とを備え、封止板８で封止される有機発光層３は、基板１上に複数配置される。その他の構成は、第１の実施の形態と同様であるので説明は省略する。
【００８４】
本発明の第６の実施の形態に係る有機発光素子の製造方法は、複数の有機発光層３を基板１上に形成する方法及び伝熱性部材９を形成する方法が第１の実施の形態における製造方法と異なる点であり、他は第１の実施の形態と同様であるので、重複した説明は省略する。
【００８５】
本発明の第６の実施の形態に係る有機発光素子の製造方法において、有機発光層３をパターニング、エッチングした後、各有機発光層３間に絶縁層５を形成することにより、有機発光層３を基板１上に複数配置することができる。
【００８６】
本発明の第６の実施の形態に係る有機発光素子の製造方法において、図１０は基板１と貼り合わせる前の状態の封止板８の平面図を示す。伝熱性部材９は、図１０に示すように、貼り合わせたときに各有機発光層３に対向する位置にあたる封止板８の伝熱領域１８のそれぞれにスポット状に塗布して形成する。
【００８７】
各伝熱性部材９の形状は、特に制限はなく、略半球状、略円柱状、略角柱状など、様々な形状をとることができるが、好ましく略半球状である。例えば、有機発光層３の平面視形状が正方形でその長さが５ｍｍ×５ｍｍで、隣接する有機発光層３間のピッチが６ｍｍである場合、半球の直径は、２〜３ｍｍ程度であり、隣接する半球と半球との間の最短距離は、２ｍｍ以下程度ある。
【００８８】
シール材１１は、伝熱性部材９を圧着して貼り合せたとき、基板１と接合して封止できるよう溝１２の外側周辺部に塗布する。塗布する際の形状は棒状又は半円柱状であるのがよい。例えば、棒状ではその幅は、０．２〜１．０ｍｍ程度であり、高さは、０．０３〜０．８ｍｍ程度である。半円柱状ではその直径は、０．２〜０．４ｍｍ程度である。
【００８９】
これにより、基板１と封止板８とを貼り合わせた際、スポット状の各伝熱性部材９を各有機発光層３上にエア溜りを生じることなく覆うことができる。
【００９０】
また、各有機発光層３間の非発熱領域にエア溜りを残して各伝熱性部材９同士を接着することができるので、貼り付ける際、圧縮による気体の圧力が緩和されて、シール材１１のエアパス発生を抑制できる。
【００９１】
本発明の第６の実施の形態に係る有機発光素子及びその製造方法によれば、有機発光素子２０Ｂの良好な放熱性能を確保することができるとともに、信頼性を高めることができる。
【００９２】
[第７の実施の形態]
本発明の第７の実施の形態に係る有機発光素子は、図１１に示すように、基板１と、基板１の主面上に形成された有機発光層３と、基板１の主面の外周部で基板１と接合して有機発光層３を封止する封止板８と、基板１と封止板８の間に配置された伝熱性部材９とを備え、伝熱性部材９はフッ素系不活性液体やシリコーン系不活性液体等の不活性液体である。その他の構成は、第１の実施の形態と同様であるので説明は省略する。
【００９３】
伝熱性部材９は、基板１と封止板８により封止された内部空間全体を満す。
【００９４】
乾燥材１０は、粉末状の酸化カルシウムや酸化バリウム等を伝熱性部材９に分散、混合して使用してもよい。
【００９５】
本発明の第７の実施の形態に係る有機発光素子の製造方法は、伝熱性部材９を形成する方法が第１の実施の形態における伝熱性部材９を形成する方法と異なる点であり、他は第１の実施の形態と同様であるので、重複した説明は省略する。
【００９６】
本発明の第７の実施の形態に係る有機発光素子の製造方法において、有機発光素子２０Ｃは、基板１上に陽極層２、有機発光層３及び陰極層４を形成した後、シール材１１を基板１側に形成する。次いで、伝熱性部材９を基板１側表面に塗布し、減圧下で封止板８を貼り合わせて製造することができる。
【００９７】
なお、減圧して貼り付ける場合、あまり低圧にすると蒸発が著しくなるので、使用する不活性液体に応じた適切な圧力に設定するのがよい。
【００９８】
本発明の第７の実施の形態に係る有機発光素子及びその製造方法によれば、有機発光素子２０Ｃで発生した熱を良好に放熱することができる。
【００９９】
[その他の実施の形態]
以上、上述した第１乃至第７の実施の形態によって本発明を詳細に説明したが、当業者にとっては、本発明が本明細書中に説明した第１乃至第７の実施の形態に限定されるものではないということは明らかである。本発明は、特許請求の範囲の記載により定まる本発明の趣旨及び範囲を逸脱することなく修正及び変更形態として実施することができる。従って、本明細書の記載は、例示説明を目的とするものであり、本発明に対して何ら制限的な意味を有するものではない。以下、上述した第１乃至第７の実施の形態を一部変更した変更形態について説明する。
【０１００】
例えば、各層の厚み等の寸法や構成する材料を変更することは可能である。
【０１０１】
上述した第１の実施の形態に係る有機発光素子においては、伝熱性部材９の材質として、ＵＶ硬化樹脂やエポキシ系接着樹脂等の樹脂を挙げたが、これらの樹脂に熱伝導性フィラーやスペーサーを添加してもよい。これにより、伝熱性部材の熱伝導性や補強性を更に高めることができる。
【０１０２】
また、上述した第３の実施の形態に係る有機発光素子においては、有機発光層３の基板１側に陽極層２を、封止板８側に陰極層４を配置した構成を説明したが、有機発光層の基板側に陰極層を、封止板側に陽極層を配置した構成としてもよい。この場合、陰極層にアルミニウム等の金属膜、陽極層にＩＴＯを用いることができる。この構成においても上述した第１の実施の形態と同様の効果が得られる。
【図面の簡単な説明】
【０１０３】
【図１】本発明の第１の実施の形態に係る有機発光素子の模式的断面構造図。
【図２】本発明の第１の実施の形態に係る有機発光素子の製造方法の説明図であって、（ａ）基板１上に陽極層２及び陰極端子７を形成し、さらに絶縁層５を形成する工程図、（ｂ）有機発光層３を形成する工程図、（ｃ）陰極層４を成膜する工程図。
【図３】本発明の第１の実施の形態に係る有機発光素子の製造方法の説明図であって、（ａ）封止板８に溝１２を形成する工程図、（ｂ）乾燥材１０を形成する工程図、（ｃ）伝熱性部材９及びシール材１１を形成する工程図。
【図４】本発明の第１の実施の形態に係る有機発光素子の製造方法における製造工程の一工程を説明する図。
【図５】本発明の第１の実施の形態に係る有機発光素子の製造方法の説明図であって、（ａ）基板１と貼り合わせる前の状態の封止板８の平面図、 (ｂ)（ａ）のＩ−Ｉ線の断面図、（ｃ）封止板８と貼り合わせる前の状態の基板１の平面図。
【図６】本発明の第２の実施の形態に係る有機発光素子の模式的断面構造図。
【図７】本発明の第４の実施の形態に係る有機発光素子の製造方法における製造工程の一工程を説明する図。
【図８】本発明の第５の実施の形態に係る有機発光素子の製造方法における製造工程の一工程を説明する図。
【図９】本発明の第６の実施の形態に係る有機発光素子の模式的断面構造図。
【図１０】本発明の第６の実施の形態に係る有機発光素子の製造方法における製造工程の一工程を説明する図。
【図１１】本発明の第７の実施の形態に係る有機発光素子の模式的断面構造図。
【図１２】従来の有機発光素子の模式的断面構造図。
【符号の説明】
【０１０４】
１・・・基板
２・・・陽極層
３・・・有機発光層
４・・・陰極層
５・・・絶縁層
８・・・封止板
９・・・伝熱性部材
２０・・・有機発光素子
【図１】
0005189829.tif 000002
【図２】
0005189829.tif 000003
【図３】
0005189829.tif 000004
【図４】
0005189829.tif 000005
【図５】
0005189829.tif 000006
【図６】
0005189829.tif 000007
【図７】
0005189829.tif 000008
【図８】
0005189829.tif 000009
【図９】
0005189829.tif 000010
【図１０】
0005189829.tif 000011
【図１１】
0005189829.tif 000012
【図１２】
0005189829.tif 000013